(57)【要約】【課題】  放射線画像を担持する放射線の照射を受けて放射線画像を記録する放射線画像検出器から出力された電荷信号を積分アンプにより積分して画像信号を取得する放射線画像読取方法および装置において、放射線画像検出器の応答遅れによるノイズの発生を回避することにより読み取られた放射線画像の鮮鋭度などの画質の低下を防止する。【解決手段】  読取光としてパルス光を使用し、パルス光の照射を積分時間Ｓ０のそれぞれ中心時刻ｓ１〜ｓ４よりもその積分時間Ｓ０における発光時間Ｔ１の中心時刻ｔ１〜ｔ４の方が早いタイミングとなるように制御する。【選択図】          図４
2005148183.tif 000002
【特許請求の範囲】
【請求項１】
放射線画像を担持する放射線の照射を受けて前記放射線画像を記録するとともに、平行に配列された多数の線状電極を有し、該線状電極の長さ方向に直交する方向に延びる線状の読取光で前記長さ方向に走査されることより前記放射線画像に応じた電荷信号を出力する放射線画像検出器に、前記線状の読取光を前記長さ方向に走査し、該読取光の走査に応じて前記各線状電極から出力された前記電荷信号を所定の積分時間毎に積分して画像信号を取得する放射線画像読取方法において、
前記読取光として前記積分時間毎に該積分時間内において所定の発光時間照射されるパルス光を使用し、
前記パルス光の照射を前記積分時間の中心時刻よりも該積分時間における前記発光時間の中心時刻の方が早いタイミングとなるように制御することを特徴とする放射線画像読取方法。
【請求項２】
放射線画像を担持する放射線の照射を受けて前記放射線画像を記録するとともに、平行に配列された多数の線状電極を有し、該線状電極の長さ方向に直交する方向に延びる線状の読取光で前記長さ方向に走査されることにより前記放射線画像に応じた電荷信号を出力する放射線画像検出器に、前記線状の読取光を前記長さ方向に走査する読取光源部と、前記読取光源部の線状の読取光の走査に応じて前記各線状電極から出力された前記電荷信号を所定の積分時間毎に積分し、該積分された画像信号を出力する多数の積分アンプを有する画像信号検出部とを備えた放射線画像読取装置において、
前記読取光源部が、
前記読取光として前記積分時間毎に該積分時間内において所定の発光時間照射されるパルス光を発するパルス光源と、
前記積分時間の中心時刻よりも該積分時間における前記パルス光の発光時間の中心時刻の方が早いタイミングとなるように前記パルス光源によるパルス光の照射を制御する発光制御手段とを有するものであることを特徴とする放射線画像読取装置。
【請求項３】
前記発光制御手段が、前記積分時間内において前記発光時間の前に前記読取光を発光させない不点灯時間が存在するように前記パルス光源の発光開始時刻を制御するものであることを特徴とする請求項２記載の放射線画像読取装置。
【発明の詳細な説明】
【技術分野】
【０００１】
本発明は、放射線画像を担持する放射線の照射を受けて放射線画像を記録するとともに、読取光の照射を受けて上記放射線画像に応じた電荷信号を出力する放射線画像検出器から出力された上記電荷信号を、積分アンプにより積分して画像信号を取得する放射線画像読取方法および装置に関するものである。
【背景技術】
【０００２】
従来より、医療分野などにおいて、被写体を透過した放射線の照射を受けて被写体に関する放射線画像を記録し、その記録された放射線画像に応じた電荷信号を出力する放射線画像検出器が各種提案、実用化されている。
【０００３】
上記放射線画像検出器としては、たとえば、放射線の照射により電荷を発生する半導体材料を利用した放射線画像検出器があり、そのような放射線画像検出器として、いわゆる光読取方式のものが提案されている。
【０００４】
上記光読取方式の放射線画像検出器としては、特許文献１に、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状電極が平行に配列された第２の電極層をこの順に積層してなる放射線画像検出器が提案されている。
【０００５】
上記放射線画像検出器においては、第１の電極層側から放射線画像を担持した放射線が照射され、その照射に応じて記録用光導電層において発生した電荷が記録用光導電層と電荷輸送層との界面に蓄積されることにより放射線画像の記録が行われる。そして、線状の読取光の線状電極の長さ方向への走査により、読取用光導電層において電荷が発生し、その電荷が上記蓄積された電荷と結合するとともに線状電極の流れ出し、その線状電極に流れ出した電荷信号が線状電極に接続された積分アンプ（いわゆるチャージアンプ）により積分されることにより画像信号が取得されて放射線画像の読取りが行われる。
【０００６】
ここで、上記のようにして放射線画像の読取りを行う際における、上記読取光の照射時間と積分アンプの積分時間との関係を示すタイミングチャート、上記読取光が照射された場合に放射線画像検出器の線状電極から出力される信号電流、および積分アンプの出力電圧の大きさを図９に示す。なお、放射線画像検出器には、図９に示すような分布で放射線画像が記録されている、つまり、読取光源が延びる方向と同じ方向に延びる線画像が、読取光源の走査方向、つまり図９における矢印Ｘ方向に平行に所定の間隔を空けて記録されているものとする。
【０００７】
図９に示すように、従来は、読取光は、連続的に読取光を発する読取光源を線状電極の長さ方向に移動させることにより照射され、その読取光源の移動に応じて積分アンプのリセットスイッチをＯＮ・ＯＦＦさせることにより積分時間毎の画像信号が取得されていた。
【０００８】
【特許文献１】特開２０００−２８４０５６号公報
【発明の開示】
【発明が解決しようとする課題】
【０００９】
しかしながら、上記のように読取光を照射したのでは、放射線画像検出器の読取光に対する応答速度が遅いため、たとえば、図９に示すように、積分時間Ｓ１における読取光の照射に応じて放射線画像検出器から出力された信号電流が、次の積分時間Ｓ２においても放射線画像検出器から出力されてしまい、本来なら信号電流が０でなければならない積分時間Ｓ２においても信号電流が０にならず（図９の斜線部分参照）、その分の出力電圧ΔＶが積分アンプから画像信号として出力され、それがノイズとなって読み取られた放射線画像の鮮鋭度などの画質を劣化させていた。
【００１０】
また、上記のように読取光源として連続的に読取光を発するものを使用するのではなく、パルス光源を利用し、読取光をパルス状に照射する、つまり読取光を積分時間毎に非連続的に照射する方法も提案されているが、読取光の照射時間はできるだけ長い方が望ましく、読取光の照射時間を十分に確保するとともに、上記のような放射線画像検出器の応答遅れによるノイズの発生を回避する方法は見出されていなかった。
【００１１】
また、上記のような積分アンプを利用した画像信号の取得方法として、いわゆる相関２重サンプリングがあるが、この相関２重サンプリングは、積分開始直後における積分アンプの出力電圧と積分終了直前における積分アンプの出力電圧の差分をとって画像信号として取得するため、積分開始直後の積分アンプの出力電圧のサンプリング時において読取光が放射線画像検出器に照射されていると、その読取光の照射に応じて放射線画像検出器から出力された信号電流がオフセット電圧となり、読み取られた放射線画像のＳ／Ｎを劣化させてしまう。
【００１２】
本発明は、上記事情に鑑み、放射線画像を担持する放射線の照射を受けて放射線画像を記録する放射線画像検出器から出力された電荷信号を積分アンプにより積分して画像信号を取得する放射線画像読取方法および装置において、読取光の照射時間を十分に確保するとともに、上記のような放射線画像検出器の応答遅れによるノイズの発生を回避することにより読み取られた放射線画像の鮮鋭度などの画質の劣化を防止することができる放射線画像読取方法および装置を提供することを目的とするものである。
【００１３】
また、上記のように相関２重サンプリングにより画像信号を取得する場合において、上記のようなオフセット電圧の発生を防止し、読み取られた放射線画像のＳ／Ｎの劣化を防止することができる放射線画像読取方法および装置を提供することを目的とするものである。
【課題を解決するための手段】
【００１４】
本発明の放射線画像読取方法は、放射線画像を担持する放射線の照射を受けて放射線画像を記録するとともに、平行に配列された多数の線状電極を有し、その線状電極の長さ方向に直交する方向に延びる線状の読取光で上記長さ方向に走査されることより放射線画像に応じた電荷信号を出力する放射線画像検出器に、線状の読取光を上記長さ方向に走査し、その読取光の走査に応じて各線状電極から出力された電荷信号を所定の積分時間毎に積分して画像信号を取得する放射線画像読取方法において、読取光として上記積分時間毎にその積分時間内において所定の発光時間照射されるパルス光を使用し、パルス光の照射を積分時間の中心時刻よりもその積分時間における発光時間の中心時刻の方が早いタイミングとなるように制御することを特徴とする。
【００１５】
本発明の放射線画像読取装置は、放射線画像を担持する放射線の照射を受けて放射線画像を記録するとともに、平行に配列された多数の線状電極を有し、その線状電極の長さ方向に直交する方向に延びる線状の読取光で上記長さ方向に走査されることにより放射線画像に応じた電荷信号を出力する放射線画像検出器に、線状の読取光を上記長さ方向に走査する読取光源部と、読取光源部の線状の読取光の走査に応じて各線状電極から出力された電荷信号を所定の積分時間毎に積分し、その積分された画像信号を出力する多数の積分アンプを有する画像信号検出部とを備えた放射線画像読取装置において、読取光源部が、読取光として上記積分時間毎にその積分時間内において所定の発光時間照射されるパルス光を発するパルス光源と、積分時間の中心時刻よりもその積分時間におけるパルス光の発光時間の中心時刻の方が早いタイミングとなるようにパルス光源によるパルス光の照射を制御する発光制御手段とを有するものであることを特徴とする。
【００１６】
また、上記本発明の放射線画像読取装置においては、発光制御手段を、積分期間内において発光時間の前に読取光を発光させない不点灯時間が存在するようにパルス光源の発光開始時刻を制御するものとすることができる。
【発明の効果】
【００１７】
本発明の放射線画像読取方法および装置によれば、読取光としてパルス光を使用し、パルス光の照射を積分時間の中心時刻よりもその積分時間における発光時間の中心時刻の方が早いタイミングとなるように制御するようにしたので、所定の積分時間において照射されたパルス光に応じて放射線画像検出器で発生した信号電流をその積分時間内で全て放射線画像検出器から出力させてしまうことができ、次の積分時間にまで放射線画像検出器から出力させないようにすることができるので、上記のような放射線画像検出器の応答遅れによるノイズの発生を防止することができ、読み取られた放射線画像の鮮鋭度などの画質が低下してしまうのを防止することができる。
【００１８】
また、上記放射線画像読取装置において、積分時間内において発光時間の前に読取光を発光させない不点灯時間が存在するようにパルス光源の発光開始時刻を制御するようにした場合には、たとえば、上記のように相関２重サンプリングにより画像信号を取得する場合において、積分開始直後の読取光の照射によるオフセット電圧の発生を防止することができ、読み取られた放射線画像のＳ／Ｎの劣化を防止することができる。
【発明を実施するための最良の形態】
【００１９】
以下、図面を参照して本発明の放射線画像読取方法を実施する放射線画像読取装置の一実施形態を利用した放射線画像記録読取装置について説明する。図１に上記放射線画像記録読取装置の概略構成図を示す。
【００２０】
本放射線画像記録読取装置は、図示省略した放射線源と、放射線源から射出され、被写体を通過した放射線の照射を受けて放射線画像を記録し、その放射線画像に応じた電荷信号を出力する放射線画像検出器１０と、放射線画像検出器１０を線状の読取光で走査する読取光源部２０と、読取光源部２０による読取光の走査により放射線画像検出器１０から出力された電荷信号を後述する積分アンプ３１により所定の積分時間毎に積分し、その積分された画像信号を出力する画像信号検出部３０とを備えている。
【００２１】
放射線画像検出器１０は、詳細には、図２に示すように、放射線画像を担持した放射線を透過する第１の電極層１１、第１の電極層１１を透過した放射線の照射を受けることにより電荷を発生する記録用光導電層１２、記録用光導電層１２において発生した電荷に対しては絶縁体として作用し、且つその電荷と逆極性の輸送電荷に対しては導電体として作用する電荷輸送層１３、読取光の照射を受けることにより電荷を発生する読取用光導電層１４、および読取光を透過する線状に延びる線状電極１５ａが平行に配列された第２の電極層１５をこの順に積層してなるものである。そして、記録用光導電層１２と電荷輸送層１３との界面には放射線の照射量に応じて発生した電荷が蓄積される蓄電部１６が形成される。
【００２２】
読取光源部２０は、読取光として積分アンプ３１の積分時間毎にその積分時間内において所定の発光時間照射されるパルス光を発するパルス光源２１と、そのパルス光源２１の発光を制御する発光制御手段２２とを備えている。なお、放射線画像検出器１０および読取光源部２０は、上記読取光源部２０の読取光源の長さ方向と放射線画像検出器１０の線状電極１５ａの長さ方向とが略直交するように設置されている。また、読取光源部２０は、線状電極１５ａの長さ方向にパルス光源２１を移動させて読取光を走査するものであるが、パルス光源２１を移動させる移動機構などについては図示省略してある。
【００２３】
発光制御手段２２は、積分アンプ３１の積分時間の中心時刻よりもその積分時間におけるパルス光の発光時間の中心時刻の方が早いタイミングとなるようにパルス光の照射を制御するものである。上記発光制御の詳細については後述する。
【００２４】
画像信号検出部３０は、放射線画像検出器１０から出力された電荷信号を積分する積分アンプ３１、積分アンプから出力された出力電圧を保持する第１および第２のサンプルホールド回路３２，３３、第１および第２のサンプルホールド回路３２，３３に保持された出力電圧の差分を画像信号として出力する差分アンプ３４、および差分アンプから出力されたアナログ画像信号をデジタル画像信号に変換するＡ／Ｄ変換器３５を備えている。なお、ノイズを低減するために積分アンプ３１とサンプルホールド回路３２,３３との間にローパスフィルタ（ＬＰＦ）を設けることが好ましい。
【００２５】
積分アンプ３１は、放射線画像検出器１０から出力された電荷信号を蓄積するコンデンサ３１ａとコンデンサ３１ａに蓄積された電荷信号を放電させるためのリセットスイッチ３１ｂとを備えている。
【００２６】
第１および第２のサンプルホールド回路３２，３３は、それぞれスイッチ３２ａ，３３ａと、積分アンプ３１から出力された出力電圧を保持するコンデンサ３２ｂ，３３ｂと、コンデンサ３２ｂに保持された出力電圧を出力するバッファアンプ３２ｃ，３３ｃとを備えている。
【００２７】
また、積分アンプ３１のリセットスイッチ３１ｂ、第１および第２のサンプルホールド回路３２，３３のスイッチ３２ａ，３３ａ、およびＡ／Ｄ変換器３５などの動作タイミングについては、図示省略した制御回路により制御される。
【００２８】
また、図１においては、放射線画像検出器１０の１本の線状電極１５ａに接続される画像信号検出部３０のみを示しており、その他の線状電極１５ａに接続される画像信号検出部３０は図示省略してある。
【００２９】
また、Ａ／Ｄ変換器３５は、各線状電極１５ａについてそれぞれ設けるようにしてもよいし、マルチプレクサを設けて差分アンプ３４から出力されたアナログ信号を各線状電極毎に切り替えて１つのＡ／Ｄ変換器３５に入力するようにしてもよい。
【００３０】
次に、本放射線画像記録読取装置の作用について説明する。
【００３１】
まず、放射線画像検出器１０の第１の電極層１１が負に帯電し、第２の電極層１５が正に帯電するように電圧印加された状態において、放射線源から被写体４０に向けて放射線Ｌ１が照射される。読取光源から射出された放射線Ｌ１は、図３（Ａ）に示すように、被写体４０全体に照射され、被写体４０において放射線を透過する透過部４０ａを透過した放射線が放射線画像検出器１０の第１の電極層１１側から照射される。なお、被写体４０において放射線を透過しない遮断部４０ｂに照射された放射線は放射線画像検出器１０には照射されない。
【００３２】
そして、放射線画像検出器１０に照射された放射線Ｌ１は、第１の電極層１１を透過し、記録用光導電層１２に照射される。そして、記録用光導電層１２において放射線の照射により電荷対が発生し、そのうち正の電荷は第１の電極層１１に帯電した負の電荷と結合して消滅し、負の電荷は潜像電荷として記録用光導電層１２と電荷輸送層１３との界面に形成される蓄電部１６に蓄積されて放射線画像が記録される。
【００３３】
そして、次に、図３（Ｂ）に示すように、第１の電極層１１が接地された状態において、第２の電極層１５側から読取光Ｌ２が照射される。
【００３４】
ここで、上記読取光Ｌ２の照射時における読取光Ｌ２の発光タイミングと積分アンプ３１のリセットスイッチ３１ｂのＯＮ・ＯＦＦのタイミングとを示すタイミングチャート、および読取光が照射された場合における放射線画像検出器１０の線状電極１５ａから出力される信号電流の大きさ、積分アンプ３１の出力電圧の大きさを図４に示す。なお、放射線画像検出器１０には、図４に示すような分布で放射線画像が記録されている、つまり、パルス光源２１が延びる方向と同じ方向に延びる線画像が、パルス光源２１の走査方向、つまり図４における矢印Ｙ方向に平行に所定の間隔を空けて記録されているものとする。
【００３５】
図４に示すように、まず、読取光Ｌ２の照射前に画像信号検出部３０における積分アンプ３１のリセットスイッチ３１ｂが開放（ＯＦＦ）され、積分アンプ３１が積分開始状態となる。そして、積分アンプ３１の積分の開始後不点灯時間Ｔ０経過した時に、発光制御手段２２からの制御信号に基づいてパルス光源２１が駆動され、パルス光源２１から読取光Ｌ２が発せられる。そして、読取光Ｌ２は、図４に示すように、積分アンプ３１による積分時間Ｓ０毎にその積分時間Ｓ０内において発光時間Ｔ１だけパルス光源２１から発せられ、放射線画像検出器１０に照射される。上記のようにして照射された読取光Ｌ２は、図３（Ｂ）に示すように、線状電極１５ａを透過して読取用光導電層１４に照射される。そして、読取光Ｌ２の照射により読取用光導電層１４において発生した正の電荷が蓄電部１６における潜像電荷と結合するとともに、負の電荷が第２の電極層１５の線状電極１５ａに帯電した正の電荷と結合し、その結合した電荷量に応じた大きさの電荷信号が積分アンプ３１のコンデンサ３１ａに蓄積される。そして、積分時間Ｓ０が経過したとき積分アンプ３１のリセットスイッチ３１ｂがＯＮされ、コンデンサ３１ａに蓄積された電荷が放電されてリセットされるが、上記読取光Ｌ２は積分アンプがリセット状態になる前にその照射が停止されるようパルス光源２１が発光制御手段２２により制御される。具体的には、図４に示すように、発光制御手段２２は、読取光Ｌ２の発光時間Ｔ１の中心時刻ｔ１〜ｔ４が、それぞれの積分時間Ｓ０における中心時刻ｓ１〜ｓ４よりも早いタイミングとなるようにパルス光源２１の発光開始時刻および発光時間Ｔ１を制御する。つまり、積分開始後から読取光の発光開始までの不点灯時間Ｔ０よりも読取光の発光終了後から積分終了までの時間の方が長いことになる。
【００３６】
上記のように読取光の照射を制御するようにしたので、図４に示すように、放射線画像検出器１０からの信号電流の出力を上記積分期間内に納めることができ、線画像が記録されていない部分についての積分アンプ３１の出力電圧を０にすることができる。
【００３７】
なお、本実施形態では、上記のようにして積分アンプ３１から出力された出力電圧を相関２重サンプリングすることにより画像信号を取得する。具体的には、積分アンプ３１のリセットスイッチ３１ｂが開放される前に２つのサンプルホールド回路３２,３３のスイッチ３２ａ,３３ａを短絡しておく（サンプルモード）。そして、積分アンプ３１のリセットスイッチ３１ｂが開放（ＯＦＦ）された直後に、第１のサンプルホールド回路３２のスイッチ３２ａが開放され、サンプルホールド回路３２のコンデンサ３２ｂによりそのときの積分アンプ３１の出力電圧が保持される（ホールドモード）。そして、その後、積分時間Ｓ０経過前直前に、第２のサンプルホールド回路３３のスイッチ３３ａが開放され、上記サンプルホールド回路３３のコンデンサ３３ｂにそのときの積分アンプ３１の出力電圧が保持される（ホールドモード）。その後、積分アンプ３１のリセットスイッチ３１ｂが短絡され、コンデンサ３１ａに蓄積された電荷が放電される。
【００３８】
上記のようにして第１および第２のサンプルホールド回路３２，３３により保持された出力電圧は、それぞれバッファアンプ３２Ｃ，３３Ｃを通って差動アンプ３４に出力される。そして、差動アンプ３４において上記２つの出力電圧の差分が算出され、Ａ／Ｄ変換器３５に出力される。Ａ／Ｄ変換器３５は、入力されたアナログ画像信号である差分信号をデジタル変換してデジタル画像信号として出力する。
【００３９】
上記のようにしてＡ／Ｄ変換器３５からデジタル画像信号が出力された後は、２つのサンプルホールド回路３２,３３のスイッチ３２ａ,３３ａが短絡され、コンデンサ３２ｂに蓄積された電荷が放電される。そして、再び、積分アンプ３１におけるリセットスイッチ３１ｂが開放されて積分が開始される。
【００４０】
そして、図１の矢印Ｙ方向にパルス光源２１が移動するのと同期して上記のようなパルス光の照射および積分アンプ３１による積分が行われ、最終的には放射線画像検出器１０の全面分のデジタル画像信号が検出される。
【００４１】
上記実施形態の放射線画像記録読取装置によれば、読取光としてパルス光を使用し、パルス光の照射を積分時間の中心時刻よりもその積分時間における発光時間の中心時刻の方が早いタイミングとなるように制御するようにしたので、所定の積分時間において照射されたパルス光に応じて放射線画像検出器１０で発生した信号電流をその積分時間内で全て放射線画像検出器１０から出力させてしまうことができ、次の積分時間にまで放射線画像検出器１０から出力させないようにすることができるので、上記のような放射線画像検出器１０の応答遅れによるノイズの発生を防止することができ、読み取られた放射線画像の鮮鋭度などの画質が低下してしまうのを防止することができる。
【００４２】
また、上記実施放射線画像読取装置においては、積分時間内において発光時間の前に読取光を発光させない不点灯時間Ｔ０が存在するようにパルス光源の発光開始時刻を制御するようにしたので、上記のように相関２重サンプリングにより画像信号を取得する場合において、積分開始直後の読取光の照射によるオフセットの発生を防止し、読み取られた放射線画像のＳ／Ｎの劣化を防止することができる。
【００４３】
また、上記実施形態の画像信号検出部３０においては、第１および第２のサンプルホールド回路３２，３３を設け、いわゆる相関２重サンプリング処理を行うようにしたが、必ずしもその形態に限らず、サンプルホールド回路３３を１つだけ設け、そのサンプルホールド回路３３で積分時間の経過前直前に保持した積分アンプの出力電圧を画像信号として取得するようにしてもよい。上記のような構成とした場合においも、読取光の発光の制御については、上記と同様に行うようにすればよい。
【００４４】
また、上記実施形態においては、放射線源、放射線画像検出器１０、読取光源部２０および画像信号検出部３０から放射線画像記録読取装置を構成するようにしたが、放射線源を設けずに放射線画像検出器１０、読取光源部２０および画像信号検出部３０から放射線画像読取装置を構成するようにしてもよいし、放射線源および放射線画像検出器１０を設けずに読取光源部２０および画像信号検出部３０から放射線画像読取装置を構成するようにしてもよい。
【００４５】
また、上記実施形態において、各線状電極１５ａに接続された積分アンプ３１の出力をマルチプレクサにより切り替えてＡ／Ｄ変換器３５に入力するような場合には、たとえば、積分アンプ３１が集積化された積分アンプＩＣ６１をフィルムのようなフレッキシブルな基板６２に実装した、いわゆるＴＡＢ（Ｔａｐｅ  Ａｕｔｏｍａｔｅｄ  Ｂａｎｄｉｎｇ）ＩＣ６０を利用し、図５に示すように、放射線画像検出器１０の複数の線状電極１５ａを上記ＴＡＢＩＣ６０に接続し、そのＴＡＢＩＣ６０の出力をマルチプレクサ５０に接続するようにしてもよい。
【００４６】
また、図５に示すようなＴＡＢＩＣ６０を利用する場合には、たとえば、図６に示すように、ＴＡＢＩＣ６０の入力線を８０μｍピッチで配線し、その出力線を後段の回路にあわせて５００μｍピッチで配線するようにすることが望ましい。上記のようにＴＡＢＩＣ６０を配線することにより、たとえば、胸部の放射線画像記録用の放射線画像検出器１０に上記ＴＡＢＩＣ６０を配置する場合には、図６に示すように、放射線画像検出器１０に１００μｍピッチで設けられた線状電極１５ａの先端をテーパー状にまとめるようにしてＴＡＢＩＣ６０に接続するようにすればよいし、たとえば、マンモの放射線画像記録用の放射線画像検出器１０に、上記ＴＡＢＩＣ６０を配置する場合には、図７に示すように、放射線画像検出器１０に５０μｍピッチで設けられた線状電極１５ａの先端をＴＡＢＩＣ６０に向けて広がるようにしてＴＡＢＩＣ６０に接続するようにすればよく、胸部用の放射線画像検出器に用いるＴＡＢＩＣとマンモ用の放射線画像検出器に用いるＴＡＢＩＣとを共用することができ、部品コストを削減することができる。
【００４７】
また、マンモ用の放射線画像検出器１０にＴＡＢＩＣ６０を配置する場合には、線状電極１５ａの間隔が狭いため、全ての線状電極１５ａが接続されるＴＡＢＩＣ６０を放射線画像検出器１０における片側の端部に全て設置することが困難である。したがって、図７および図８に示すように、ＴＡＢＩＣ６０を放射線画像検出器１０の両端部に１つ置きに交互に設置するようにしてもよい。上記のように設置すれば、ＴＡＢＩＣ６０の入力線のピッチよりも短いピッチで線状電極１５ａが放射線画像検出器１０に設けられているような場合においても、全ての線状電極１５ａをＴＡＢＩＣ６０に接続することができる。
【図面の簡単な説明】
【００４８】
【図１】本発明の放射線画像読取装置の一実施形態を用いた放射線画像記録読取装置の概略構成図
【図２】図１に示す放射線画像記録読取装置における放射線画像検出器の概略構成図
【図３】図１に示す放射線画像記録読取装置における放射線画像検出器の作用を説明するための図
【図４】図１に示す放射線画像記録読取装置における読取光の発光タイミングと積分アンプの積分タイミングとを示すタイミングチャート、および読取光が照射された場合における放射線画像検出器から出力される信号電流の大きさ、積分アンプの出力電圧の大きさを示す図
【図５】本発明の放射線画像記録読取装置のその他の実施形態を示す図
【図６】放射線画像検出器と積分アンプＩＣとの一接続形態を示す図
【図７】放射線画像検出器と積分アンプＩＣとのその他の接続形態を示す図
【図８】放射線画像検出器と積分アンプＩＣとのその他の接続形態を示す図
【図９】従来技術における読取光の照射時間と積分アンプの積分時間との関係を示すタイミングチャート、および読取光が照射された場合における放射線画像検出器から出力される信号電流の大きさ、積分アンプの出力電圧の大きさを示す図
【符号の説明】
【００４９】
１０  放射線画像検出器
１１  第１の電極層
１２  記録用光導電層
１３  電荷輸送層
１４  読取用光導電層
１５  第２の電極層
１６  蓄電部
２０  読取光源部
２１  パルス光源
２２  発光制御手段
３０  画像信号検出部
３１  積分アンプ
３２  第１のサンプルホールド回路
３３  第２のサンプルホールド回路
３４  差分アンプ
３５  Ａ／Ｄ変換器
４０  被写体
５０  マルチプレクサ
６０  ＴＡＢＩＣ
６１  積分アンプＩＣ
６２  基板
【図１】
2005148183.tif 000003
【図２】
2005148183.tif 000004
【図３】
2005148183.tif 000005
【図４】
2005148183.tif 000006
【図５】
2005148183.tif 000007
【図６】
2005148183.tif 000008
【図７】
2005148183.tif 000009
【図８】
2005148183.tif 000010
【図９】
2005148183.tif 000011